(57)【要約】【課題】  光源の交換をユーザーが行える光照射器、そのような光照射器のためのランプアセンブリ、並びに、光照射器を備えたＸ線撮影装置を実現する。【解決手段】  光源（２０２）と、光源を付け替え可能なように支持する光源支持手段（４０２）と、光源支持手段を互いに垂直な３方向のうちの第１の方向における位置調整が可能なように支持する第１の支持手段（６０２，６０６）と、第１の支持手段を３方向のうちの第２の方向における位置調整が可能なように支持する第２の支持手段（８０２，８０６）と、取付の相手に予め定められた位置関係で着脱自在に取り付け可能であり、第２の支持手段を３方向のうちの第３の方向における位置調整が可能なように支持する第３の支持手段（１０２，１０６）とを具備する。【選択図】      図４
2005103244.tif 000002
【特許請求の範囲】
【請求項１】
光源と、
前記光源を付け替え可能なように支持する光源支持手段と、
前記光源支持手段を互いに垂直な３方向のうちの第１の方向における位置調整が可能なように支持する第１の支持手段と、
前記第１の支持手段を前記３方向のうちの第２の方向における位置調整が可能なように支持する第２の支持手段と、
前記第２の支持手段を前記３方向のうちの第３の方向における位置調整が可能なように支持する第３の支持手段と、
前記第３の支持手段が予め定められた位置関係で着脱自在に取り付けられるベースと、
前記ベースに前記光源からの光の方向を折り曲げるように設けられた反射鏡と、
を具備することを特徴とする光照射器。
【請求項２】
前記第１の支持手段、前記第２の支持手段および前記第３の支持手段は、いずれも位置調整用の送りネジを有する、
ことを特徴とする請求項１に記載の光照射器。
【請求項３】
前記第１の支持手段、前記第２の支持手段および前記第３の支持手段は、いずれも位置調整用のガイドレールを有する、
ことを特徴とする請求項２に記載の光照射器。
【請求項４】
前記ベースは前記反射鏡で反射された光の照射口を有する、
ことを特徴とする請求項１ないし請求項３のうちのいずれか１つに記載の光照射器。
【請求項５】
前記反射鏡は前記光源からの光の方向を直角に折り曲げる、
ことを特徴とする請求項１ないし請求項４のうちのいずれか１つに記載の光照射器。
【請求項６】
光源と、
前記光源を付け替え可能なように支持する光源支持手段と、
前記光源支持手段を互いに垂直な３方向のうちの第１の方向における位置調整が可能なように支持する第１の支持手段と、
前記第１の支持手段を前記３方向のうちの第２の方向における位置調整が可能なように支持する第２の支持手段と、
取付の相手に予め定められた位置関係で着脱自在に取り付け可能であり、前記第２の支持手段を前記３方向のうちの第３の方向における位置調整が可能なように支持する第３の支持手段と、
を具備することを特徴とするランプアセンブリ。
【請求項７】
前記第１の支持手段、前記第２の支持手段および前記第３の支持手段は、いずれも位置調整用の送りネジを有する、
ことを特徴とする請求項６に記載のランプアセンブリ。
【請求項８】
前記第１の支持手段、前記第２の支持手段および前記第３の支持手段は、いずれも位置調整用のガイドレールを有する、
ことを特徴とする請求項７に記載のランプアセンブリ。
【請求項９】
Ｘ線管と、
前記Ｘ線管から撮影対象に照射されるＸ線をコリメートするコリメータと、
前記コリメータを通じて撮影対象に照準用の光を照射する光照射器と、
を有するＸ線撮影装置であって、
前記光照射器として、請求項１ないし請求項５のいずれかに記載された光照射器を用いる、
ことを特徴とするＸ線撮影装置。
【発明の詳細な説明】
【技術分野】
【０００１】
本発明は、光照射器、ランプアセンブリ（ｌａｍｐ  ａｓｓｅｍｂｌｙ）並びにＸ線撮影装置に関し、とくに、Ｘ線照射に先立って光を用いて照準を行うための光照射器、そのような光照射器のためのランプアセンブリ、並びに、光照射器を備えたＸ線撮影装置に関する。
【背景技術】
【０００２】
Ｘ線撮影装置では、Ｘ線の照射に先立って光を用いて照準を行い、照準が決まってからＸ線を照射することが行われる（例えば、特許文献１参照）。
【特許文献１】特開昭５５−１１５００１号公報（第１頁、第１図）
【発明の開示】
【発明が解決しようとする課題】
【０００３】
光源は寿命のあるものなので適時に交換が行われる。光源の交換に伴って光学系のアライメント（ａｌｉｇｎｍｅｎｔ）が変化するので、再調整が不可欠である。その作業にはかなりの熟練が要求されるので、ユーザー自身が行うことは困難であり、Ｘ線撮影装置の稼動サイト（ｓｉｔｅ）に専門の業者を呼び寄せて行うことになる。
【０００４】
そこで、本発明の課題は、光源の交換をユーザーが行える光照射器、そのような光照射器のためのランプアセンブリ、並びに、光照射器を備えたＸ線撮影装置を実現することである。
【課題を解決するための手段】
【０００５】
（１）上記の課題を解決するためのひとつの観点での発明は、光源と、前記光源を付け替え可能なように支持する光源支持手段と、前記光源支持手段を互いに垂直な３方向のうちの第１の方向における位置調整が可能なように支持する第１の支持手段と、前記第１の支持手段を前記３方向のうちの第２の方向における位置調整が可能なように支持する第２の支持手段と、前記第２の支持手段を前記３方向のうちの第３の方向における位置調整が可能なように支持する第３の支持手段と、前記第３の支持手段が予め定められた位置関係で着脱自在に取り付けられるベースと、前記ベースに前記光源からの光の方向を折り曲げるように設けられた反射鏡と、を具備することを特徴とする光照射器である。
【０００６】
（２）上記の課題を解決するための他の観点での発明は、光源と、前記光源を付け替え可能なように支持する光源支持手段と、前記光源支持手段を互いに垂直な３方向のうちの第１の方向における位置調整が可能なように支持する第１の支持手段と、前記第１の支持手段を前記３方向のうちの第２の方向における位置調整が可能なように支持する第２の支持手段と、取付の相手に予め定められた位置関係で着脱自在に取り付け可能であり、前記第２の支持手段を前記３方向のうちの第３の方向における位置調整が可能なように支持する第３の支持手段と、を具備することを特徴とするランプアセンブリである。
【０００７】
（３）上記の課題を解決するための他の観点での発明は、Ｘ線管と、前記Ｘ線管から撮影対象に照射されるＸ線をコリメートするコリメータと、前記コリメータを通じて撮影対象に照準用の光を照射する光照射器と、を有するＸ線撮影装置であって、前記光照射器として、（１）に記載された光照射器を用いることを特徴とするＸ線撮影装置である。
【０００８】
上記各観点での発明では、光源支持手段で光源を付け替え可能なように支持し、第１の支持手段で光源支持手段を互いに垂直な３方向のうちの第１の方向における位置調整が可能なように支持し、第２の支持手段で第１の支持手段を３方向のうちの第２の方向における位置調整が可能なように支持し、第３の支持手段で第２の支持手段を３方向のうちの第３の方向における位置調整が可能なように支持するようにしたので、このような構造体における光源の焦点の３次元位置を製造元で予め調整しておくことができる。したがって、ユーザーはこれを予め位置関係が決まっているベースに取り付けるだけでよい。
【０００９】
前記第１の支持手段、前記第２の支持手段および前記第３の支持手段は、いずれも位置調整用の送りネジを有することが、３次元位置の調整を容易にする点で好ましい。
【００１０】
前記第１の支持手段、前記第２の支持手段および前記第３の支持手段は、いずれも位置調整用のガイドレールを有することが、３次元位置の調整を容易にする点で好ましい。
【００１１】
前記ベースは前記反射鏡で反射された光の照射口を有することが、ベースを通過する方向に光を照射する点で好ましい。前記反射鏡は前記光源からの光の方向を直角に折り曲げることが、光源を光の照射方向に対して真横に配置する点で好ましい。
【発明の効果】
【００１２】
本発明によれば、光源の交換をユーザーが行える光照射器、そのような光照射器のためのランプアセンブリ、並びに、光照射器を備えたＸ線撮影装置を実現することができる。
【発明を実施するための最良の形態】
【００１３】
以下、図面を参照して本発明を実施するための最良の形態を詳細に説明する。なお、本発明は発明を実施するための最良の形態に限定されるものではない。図１に、Ｘ線撮影装置の模式的構成を示す。本装置は本発明の実施の形態の一例である。本装置の構成によって、本発明の装置に関する実施の形態の一例が示される。
【００１４】
同図に示すように、Ｘ線撮影装置は、Ｘ線管１のＸ線焦点１１から発生したＸ線１３を、コリメータボックス（ｃｏｌｌｉｍａｔｏｒ  ｂｏｘ）３内のブレード（ｂｌａｄｅ）３１でコリメートして撮影対象７に向けてに照射し、透過Ｘ線を検出器９で検出するようになっている。
【００１５】
コリメータボックス３は内部に光照射器５を備えている。光照射器５はＸ線焦点１１とブレード３１の間に設けられる。光照射器５は光源５１と反射鏡５３を有する。反射鏡５３はＸ線１３の経路の途中に挿入され、光源５１から発生した可視光の方向を折り曲げてＸ線１３の照射方向と同じ方向に照射するようになっている。これによって、Ｘ線照射に先立って可視光による照準が可能となる。
【００１６】
図２に、光照射器５の外観を示す。本装置は本発明の実施の形態の一例である。本装置の構成によって、本発明の光照射器に関する実施の形態の一例が示される。
【００１７】
同図に示すように、本装置は、ランプアセンブリ（ｌａｍｐ  ａｓｓｅｍｂｌｙ）１００と鏡３００をベース（ｂａｓｅ）５００に取り付けたものとなっている。ランプアセンブリ１００と鏡３００は、水平方向において互いに対向する。鏡３００は、本発明における反射鏡の実施の形態の一例である。ベース５００は、本発明におけるベースの実施の形態の一例である。
【００１８】
ベース５００は光照射口５０２を有し、鏡３００で反射されたランプアセンブリ１００からの光を下方に照射するようになっている。光照射口５０２を有することにより、ベース５００を通過する方向に光を照射することができる。光照射口５０２は、本発明における照射口の実施の形態の一例である。
【００１９】
鏡３００は水平面に対し４５°の角度をなし、ランプアセンブリ１００からの光の方向を直角に折り曲げる。これによって、ランプアセンブリ１００を最終的な光照射方向（垂直下方）に対して真横に配置することができ、光照射器５をＸ線照射器のコリメータボックス内に配置したときランプアセンブリ１００がＸ線照射の妨げにならない。
【００２０】
ランプアセンブリ１００はベース５００に対して着脱可能になっている。ランプアセンブリ１００とベース５００を分離した状態を図３に示す。同図に示すように、ベース５００はランプアセンブリ１００取り付け用の２本の柱５０４，５０６を有し、それらの外側面にランプアセンブリ１００の基部がネジ止めによって取り付けられる。
【００２１】
取り付けにあたっては、柱５０４，５０６の外側面に垂直にそれぞれ設けられたピン５４２，５６２とランプアセンブリ１００の基部に設けられた孔１４２，１６２との嵌合を利用して、ベース５００に対するランプアセンブリ１００の位置決めが行われ、その状態で、柱５０４，５０６の外側面にそれぞれ設けられたネジ孔５４４，５６４，５６６とランプアセンブリ１００の基部に設けられた孔１４４，１６４，１６６を利用してネジ止めされる。ピン５４２，５６２と孔１４２，１６２の嵌合を利用した位置決めにより、ベース５００に対するランプアセンブリ１００の位置関係は一義的に定まる。
【００２２】
図４に、ランプアセンブリ１００の分解図を示す。ランプアセンブリ１００は本発明の実施の形態の一例である。本装置の構成によって、本発明のランプアセンブリに関する実施の形態の一例が示される。
【００２３】
同図において、互いに垂直な３方向をｘ，ｙ，ｚとする。ランプアセンブリ１００では、ランプ２０２が取付ブロック（ｂｌｏｃｋ）４０２に取り付けられる。取付はネジ等によって行われ、必要に応じてランプ２０２の付け替えができるようになっている。ランプ２０２は、本発明における光源の実施の形態の一例である。取付ブロック４０２は、本発明における光源支持手段の実施の形態の一例である。
【００２４】
取付ブロック４０２はｙ方向レールブロック（ｒａｉｌ  ｂｌｏｃｋ）６０２と組み合わされる。ｙ方向レールブロック６０２はｙ方向に伸びるレール部６０４を有し、それに取付ブロック４０２のスライド（ｓｌｉｄｅ）部４４４が係合する。
【００２５】
取付ブロック４０２はｙ方向に貫通するネジ孔４１６を有し、このネジ孔４１６に調整ネジ６０６が螺合する。調整ネジ６０６は一対の取付板６０８，６０８’によってｙ方向レールブロック６０２に取り付けられる。調整ネジ６０６は、取付板６０８，６０８’の孔６１０，６１０’に遊嵌し、かつ、ｙ方向には移動しないようになっている。これによって、調整ネジ６０６を回すことにより取付ブロック４０２をｙ方向に移動させることが可能となる。
【００２６】
ｙ方向レールブロック６０２、調整ネジ６０６および取付板６０８，６０８’からなる部分は、本発明における第１の支持手段の実施の形態の一例である。レール部６０４は、本発明におけるガイドレール（ｇｕｉｄｅ  ｒａｉｌ）の実施の形態の一例である。調整ネジ６０６は、本発明における送りネジの実施の形態の一例である。
【００２７】
ｙ方向レールブロック６０２は、ｘ方向レールブロック８０２と組み合わされる。ｘ方向レールブロック８０２はｘ方向に伸びるレール部８０４を有し、それにｙ方向レールブロック６０２のスライド部６４４が係合する。
【００２８】
係合した状態で、スリット（ｓｌｉｔ）８２０を通して、ｙ方向レールブロック６０２の背面に垂直にネジ孔柱６１２が設けられる。ネジ柱６０８にはネジ孔６１６がｘ方向に貫通している。
【００２９】
このネジ孔６１６に調整ネジ８０６が螺合する。調整ネジ８０６はｘ方向レールブロック８０２の孔８１０，８１０’に遊嵌し、かつ、ｘ方向に移動しないようになっている。これによって、調整ネジ８０６を回すことによりｙ方向レールブロック６０２をｘ方向に移動させることが可能となる。
【００３０】
ｘ方向レールブロック８０２および調整ネジ８０６からなる部分は、本発明における第２の支持手段の実施の形態の一例である。レール部８０４は、本発明におけるガイドレールの実施の形態の一例である。調整ネジ８０６は、本発明における送りネジの実施の形態の一例である。
【００３１】
ｘ方向レールブロック８０２は、ｚ方向レールブロック１０２と組み合わされる。ｚ方向レールブロック１０２はｚ方向に伸びるレール部１０４を有し、それにｘ方向レールブロック８０２のスライド部８４４が係合する。ｘ方向レールブロック８０２はネジ孔８１６を有する。ネジ孔８１６はｚ方向に貫通している。
【００３２】
ｚ方向レールブロック１０２にｘ方向レールブロック８０２が組み合わされた状態で、孔１１０を通して、ネジ孔８１６に調整ネジ１０６が螺合する。調整ネジ１０６は孔１１０に遊嵌し、かつ、ｚ方向に移動しないようになっている。これによって、調整ネジ１０６を回すことによりｘ方向レールブロック８０２をｚ方向に移動させることが可能となる。
【００３３】
ｚ方向レールブロック１０２および調整ネジ１０６からなる部分は、本発明における第３の支持手段の実施の形態の一例である。レール部１０４は、本発明におけるガイドレールの実施の形態の一例である。調整ネジ１０６は、本発明における送りネジの実施の形態の一例である。
【００３４】
ｚ方向レールブロック１０２は、光照射器５のベース５００に取り付けるための孔１４２，１４４，１６２，１６４，１６６を有する。ｚ方向レールブロック１０２は、ランプアセンブリ１００の基部に相当する。
【００３５】
以上のような構成により、ランプアセンブリ１００では、調整ネジ６０６を回すことによりランプ２０２のｙ方向の位置を調整することができ、調整ネジ８０６を回すことによりランプ２０２のｘ方向の位置を調整することができ、調整ネジ１０６を回すことによりランプ２０２のｚ方向の位置を調整することができる。すなわち、ランプアセンブリ１００におけるランプ２０２の３次元位置を調整することができる。
【００３６】
ランプ２０２の位置調整は、光の焦点が予め定められた３次元位置に来るように行われる。このような調整は、ランプアセンブリ１００の製造元で、ランプ２０２を取付ブロック４０２に取り付けたときに、適宜の調整装置を用いて行われる。ランプ２０２の位置調整は、また、ランプ２０２の故障等により製造元に回収されたランプアセンブリ１００について、ランプ２０２を新品と交換した場合にも行われる。
【００３７】
調整済のランプアセンブリ１００は、光照射器５のベース５００に取り付けて使用される。ベース５００に対するランプアセンブリ１００の位置関係は、図３に示したように、柱５０４，５０６のピン５４２，５６２とランプアセンブリ１００の基部の孔１４２，１６２との嵌合により一義的に定まるので、ランプアセンブリ１００をベースに取り付けただけで光学系のアライメントが完成する。したがって、ランプ故障時のランプアセンブリ１００の交換は、業者に依頼することなくユーザー（ｕｓｅｒ）自身が行うことができる。
【図面の簡単な説明】
【００３８】
【図１】Ｘ線撮影装置の模式的構成を示す図である。
【図２】光照射器の外観を示す図である。
【図３】ランプアセンブリを分離した光照射器を示す図である。
【図４】ランプアセンブリの分解図である。
【符号の説明】
【００３９】
１  Ｘ線管
１１  Ｘ線焦点
３  コリメータボックス
３１  ブレード
５  光照射器
５１  光焦点
５３  反射鏡
７  撮影対象
９  検出器
１００  ランプアセンブリ
３００  鏡
５００  ベース
５０２  光照射口
１４２，１４４，１６２，１６４，１６６  孔
５０４，５０６  柱
５４２，５６２  ピン
５４４，５６４，５６６  ネジ孔
２０２  ランプ
４０２  取付ブロック
６０２  ｙ方向レールブロック
８０２  ｘ方向レールブロック
１０２  ｚ方向レールブロック
６０６，８０６，１０６  調整ネジ
【図１】
2005103244.tif 000003
【図２】
2005103244.tif 000004
【図３】
2005103244.tif 000005
【図４】
2005103244.tif 000006